(57)【特許請求の範囲】
【請求項１】
画像を表示する表示手段と、
複数の演奏パートの演奏音の態様を規定するパラメータの値を変更する複数の操作子と、
を備え、前記複数の演奏音を表す信号を生成する信号生成装置であって、
前記複数の操作子のうちの１つの前記操作子を、異なる演奏パートに割り当てておき、その操作子を用いて前記異なる演奏パートの演奏音の態様を同時且つ異なる態様で変更可能であり、
所定の動作モードにおいて前記１つの操作子が操作されたとき、前記表示手段の表示内容を、前記操作された１つの操作子に割り当てられた演奏パートごとに設けられた複数のタブであって、対応する演奏パートに割り当てられたパラメータの種類を表す割り当てデータ及び前記１つの操作子の操作態様と前記パラメータの値の変化の態様との関係を表す変化データを編集するために用いる画像をそれぞれ含む複数のタブからなるタブ形式の画像に切り替える切り替え手段を備えた、信号生成装置。
【発明の詳細な説明】
【技術分野】
【０００１】
本発明は、音又は映像を表す信号を生成する信号生成装置に関する。とくに、音又は映像の態様を規定する複数のパラメータにそれぞれ割り当てられた複数の操作子を備えた信号生成装置に関する。
【背景技術】
【０００２】
例えば、下記特許文献１に記載されているように、各動作モード（音色を選択する音色選択モード、各種操作子の機能を設定する設定モードなど）に応じて、表示装置の画像（ページ、ウィンドウ、タブなど）を切り替える電子楽器は知られている。
【０００３】
また、一般に、従来の電子楽器は、複数の操作子を備えている。例えば、電子楽器は、楽音の発生態様を変化させるピッチベンドホイール、エクスプレッションペダルなどを備えている。また、例えば、電子楽器は、設定項目を選択するカーソルキー、タッチパネルなどを備えている。
【先行技術文献】
【特許文献】
【０００４】
【特許文献１】特開２０１０−１６９８６６号公報
【発明の概要】
【０００５】
従来の電子楽器においては、操作子の機能を設定できる。すなわち、操作子に割り当てるパラメータの種類を設定できる。また、操作子の操作位置とパラメータの値との関係（変化カーブ）を設定できる。従来の電子楽器において、各操作子の機能を設定する場合、ユーザは、まず、カーソルキー、タッチパネルなどを操作して、設定対象の操作子を選択する画像（操作子の名称のリスト）を表示させ、設定対象の操作子を選択する。すると、前記選択された操作子の現在の設定内容を表す画像に切り替えられる。１つの操作子の設定が終了し、他の操作子の設定を開始する場合、ユーザは、再び、カーソルキー、タッチパネルなどを操作して、設定対象の操作子を選択する画像を表示させ、設定対象の操作子を選択する必要がある。このように、操作子の設定において、煩雑な操作が必要である。また、多くの操作子を備えた電子楽器の場合、カーソルキー、タッチパネルなどを操作して設定対象の操作子を選択する際、誤って、実際に設定しようとしている操作子とは異なる操作子を選択してしまうこともある。とくに、同一又は類似する形状の操作子（例えば、複数のノブ型の操作子、複数のペダル型の操作子など）を備えた電子楽器において、操作子の選択を誤る可能性が高い。
【０００６】
本発明は上記問題に対処するためになされたもので、その目的は、操作子の機能を簡単に設定できる信号生成装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００７】
上記目的を達成するために、本発明の特徴は、画像を表示する表示手段（１３）と、複数の演奏パートの演奏音の態様を規定するパラメータの値を変更する複数の操作子（ＫＮ１〜ＫＮ８，ＳＬ１〜ＳＬ８，ＰＷ，ＭＷ，ＲＣ，ＤＰ，ＥＰ）と、を備え、前記複数の演奏音を表す信号を生成する信号生成装置（１０）であって、前記複数の操作子のうちの１つの前記操作子を、異なる演奏パートに割り当てておき、その操作子を用いて前記異なる演奏パートの演奏音の態様を同時且つ異なる態様で変更可能であり、所定の動作モードにおいて前記１つの操作子が操作されたとき、前記表示手段の表示内容を、前記操作された１つの操作子に割り当てられた演奏パートごとに設けられた複数のタブであって、対応する演奏パートに割り当てられたパラメータの種類を表す割り当てデータ及び前記１つの操作子の操作態様と前記パラメータの値の変化の態様との関係を表す変化データを編集するために用いる画像をそれぞれ含む複数のタブからなるタブ形式の画像に切り替える切り替え手段（Ｓ１６）を備えた信号生成装置としたことにある。
【０００８】
本発明によれば、ユーザは、所定の動作モードにおいて操作子を操作すれば、その操作子が設定対象として決定され、設定対象の操作子に関する割り当てデータ及び変化データを編集するために用いる画像が表示される。すなわち、従来の電子楽器のように、操作子の名称のリストを表示させ、タッチパネル、カーソルキーなどを用いて、そのリストから設定対象の操作子を選択する必要がない。よって、ユーザは、操作子の機能を簡単に設定できる。また、設定対象を誤って選択する虞もない。また、ユーザが、ある操作子に割り当てられているパラメータの種類を失念した際にも、所定の動作モードにおいて操作子を操作することにより、その操作子に割り当てられているパラメータの種類を簡単に確認できる。
【００１０】
本発明によれば、表示手段に必要な情報のみが、タブ形式で表示されるので、視認性が良い。
【図面の簡単な説明】
【００１１】
【図１】本発明の一実施形態に係る電子楽器の概略を示すブロック図である。
【図２】図１の電子楽器の平面図である。
【図３】音源回路及びエフェクト回路の概略を示すブロック図である。
【図４】設定データセットの構成を示す表である。
【図５】図４の割り当てデータの概念を示す概念図である。
【図６】操作子設定モードに移行した際に表示器に表示される画像の一例である。
【図７】操作子のリストを表示させて、設定対象を選択する際の画像の一例である。
【図８】図６の状態から設定対象を変更した後の画像の一例である。
【図９Ａ】設定対象決定処理の前半部を示すフローチャートである。
【図９Ｂ】設定対象決定処理の後半部を示すフローチャートである。
【発明を実施するための形態】
【００１２】
本発明の一実施形態に係る信号生成装置としての電子楽器１０について説明する。電子楽器１０は、図１に示すように、入力操作子１１、コンピュータ部１２、表示器１３、記憶装置１４、外部インターフェース回路１５、音源回路１６、エフェクト回路１７、サウンドシステム１８を備えており、これらがバス１９を介して接続されている。
【００１３】
電子楽器１０は、図２に示すように、複数の入力操作子１１を備える。すなわち、入力操作子１１には、楽音の発生開始及び停止を指示する鍵盤装置ＫＹが含まれる。また、入力操作子１１には、楽音の発生態様を変化させることを指示する、ピッチベンドホイールＰＷ、モジュレーションホイールＭＷ、リボンコントローラＲＣ、回転式の第１アサイナブルノブＫＮ１〜第８アサイナブルノブＫＮ８、スライド式の第１レバーＳＬ１〜第８レバーＳＬ８、ダンパーペダルＤＰ、エクスプレッションペダルＥＰなどが含まれる。また、入力操作子１１には、各種設定項目を選択するカーソルキーＣＫ及びタッチパネルＴＰ、各種パラメータの値を入力する数字キーＮＫなどが含まれる。入力操作子１１は、オン・オフ操作に対応したスイッチ、回転操作に対応したロータリーポテンショメータ又はロータリーエンコーダ、スライド操作に対応したリニアポテンショメータ又はリニアエンコーダ、各種センサなどから構成される。ユーザが入力操作子１１を操作すると、その操作内容を表す情報が、バス１９を介して、後述するコンピュータ部１２に供給される。
【００１４】
コンピュータ部１２は、バス１９にそれぞれ接続されたＣＰＵ１２ａ、ＲＯＭ１２ｂ、ＲＡＭ１２ｃ及びタイマー１２ｄを有する。ＣＰＵ１２ａは、各種プログラムをＲＯＭ１２ｂから読み出して、各種処理を実行する。例えば、ＣＰＵ１２ａは、後述する音源回路１６を制御して、デジタル楽音信号を発生させる。また、例えば、ＣＰＵ１２ａは、エフェクト回路１７を制御して、前記デジタル楽音信号が表す楽音に効果を付与させる。電子楽器１０は、図３に示すように、複数の演奏パートＰＴｎ（例えば１６個の演奏パートＰＴｎ＝１〜ＰＴｎ＝１６）の楽音信号を同時に発生可能である。
【００１５】
また、ＣＰＵ１２ａは、楽音の発生態様を規定するパラメータが割り当てられている操作子が操作されたとき、その操作態様に応じて前記パラメータの値を変化させて、音源回路１６及びエフェクト回路１７のいずれか一方又は両方に供給する。電子楽器１０においては、演奏パートごとに、操作子の機能を設定できる。具体的には、ＣＰＵ１２ａは、図４に示す、演奏パートＰＴｎに対応した設定データセットＳＳｎに従って、音源回路１６の演奏パートＰＴｎに関する回路及びエフェクト回路１７の演奏パートＰＴｎに関する回路を制御する。
【００１６】
設定データセットＳＳｎは、１６個の設定データＳＤｍ＝１，２，・・・，１６から構成されている。設定データＳＤｍは、割り当てデータＡＳｍ及び変化カーブデータＣＤｍからなる。割り当てデータＡＳｍは、ソースデータＳＯｍ及びデスティネーションデータＤＮｍからなる。
【００１７】
ソースデータＳＯｍは、操作子を識別する識別データ（例えば、操作子の名称）である。デスティネーションデータＤＮｍは、ソースデータＳＯｍに対応する操作子に割り当てるパラメータを識別する識別データ（例えば、パラメータの名称）である。変化カーブデータＣＤｍは、ソースデータＳＯｍに対応する操作子の操作位置とデスティネーションデータＤＮｍに対応するパラメータの値との関係を表す変化カーブを識別する識別データ（例えば、変化カーブの名称）である。なお、本実施形態においては、説明を簡単にするために、設定データＳＤｍが割り当てデータＡＳｍ及び変化カーブデータＣＤｍから構成されるものとしたが、設定データＳＤｍがさらに多くのデータから構成されていてもよい。
【００１８】
ここで、図４の割り当てデータＡＳｍの概念図を図５に示す。図４及び図５に示す例においては、第１アサイナブルノブＫＮ１が、音源回路１６のフィルタのカットオフ周波数に割り当てられるとともに、音源回路１６のパンニングに割り当てられている。また、エクスプレッションペダルＥＰが、エフェクト回路１７のディストーションレベルに割り当てられている。この例のように、１つの操作子に複数のパラメータを割り当てることかできる。また、１つのパラメータに複数の操作子を割り当てても良い。なお、図４において、未設定の項目には、「Ｎ／Ａ」と記載している。
【００１９】
再び、図１の説明に戻る。ＣＰＵ１２ａは、図形データ、文字データなどを用いて表示内容を表わす表示データを生成して、表示器１３に供給する。
【００２０】
ＲＯＭ１２ｂには、前記各種プログラムに加えて、各種パラメータの初期値、表示器１３に表示される画像を表す表示データを生成するための図形データ、文字データなどが記憶されている。ＲＡＭ１２ｃには、各種プログラムの実行時に、各種データが一時的に記憶される。タイマー１２ｄは、所定の時間間隔でカウント値をインクリメントするカウンタを備える。
【００２１】
表示器１３は、液晶ディスプレイ（ＬＣＤ）によって構成される。表示器１３は、ＣＰＵ１２ａから供給された表示データに基づいて画像を表示する。例えば、現在選択されている楽音の名称、前記楽音の発生態様を規定する各種パラメータの値などが表示される。
【００２２】
また、記憶装置１４は、大容量の半導体メモリ（ＮＡＮＤ型のフラッシュメモリ）、ＨＤＤ、ＤＶＤなどの大容量の不揮発性記録媒体と各記録媒体に対応するドライブユニットなどから構成されている。また、電子楽器１０は、上記のような大容量の半導体メモリ、ドライブユニットなどを接続する接続端子を備える。
【００２３】
外部インターフェース回路１５は、電子楽器１０を他の電子楽器、パーソナルコンピュータなどの外部機器に接続可能とする接続端子を備えている。電子楽器１０は、外部インターフェース回路１５を介して、ＬＡＮ（Ｌｏｃａｌ  Ａｒｅａ  Ｎｅｔｗｏｒｋ）、インターネットなどの通信ネットワークにも接続可能である。
【００２４】
音源回路１６には波形メモリＷＭが接続されている。波形メモリＷＭには、ピアノ、オルガン、バイオリン、トランペットなどの楽音の音響波形をそれぞれ表す複数の楽音波形データが記憶されている。音源回路１６は、ＣＰＵ１２ａによって指定された楽音波形データであって、各演奏パートＰＴｎに対応する各楽音波形データを波形メモリＷＭから読み出す。そして、前記読み出した各楽音波形データを、ＣＰＵ１２ａから供給されたパラメータの値に応じて修正して各演奏パートＰＴｎに対応するデジタル楽音信号を生成し、エフェクト回路１７に供給する。
【００２５】
エフェクト回路１７は、ＣＰＵ１２ａから供給されたパラメータの値に応じて、前記デジタル楽音信号が表す楽音にリバーブ、コーラスなどの効果を付与して、サウンドシステム１８に供給する。
【００２６】
サウンドシステム１８は、エフェクト回路１７から供給されたデジタル楽音信号をアナログ楽音信号に変換するＤ／Ａ変換器、及び前記アナログ楽音信号を出力する出力端子を備えている。
【００２７】
つぎに、電子楽器１０の動作について説明する。電子楽器１０は、操作子を用いて演奏する演奏モード、各種機能を設定する設定モードを備える。以下、操作子の機能を設定する際の動作について説明する。ユーザは、まず、カーソルキーＣＫ、タッチパネルＴＰなどを操作して、電子楽器１０の動作モードを、設定モードに移行させ、設定対象の演奏パートＰＴｎを選択する。すると、図６に示すような画像が表示器１３に表示される。すなわち、表示器１３には、操作子の機能を設定するための画像が表示される。この画像の上部には、ディスプレイフィルターボタンＢ１及びオートセレクトボタンＢ２が配置されている。また、ディスプレイフィルターボタンＢ１及びオートセレクトボタンＢ２の下方には、設定データセットＳＳｎを表す画像を表示する表示エリアＡ１が配置されている。表示エリアＡ１には、以下説明するように、設定データＳＤｍ＝１〜設定データＳＤｍ＝１６のうち、設定対象の操作子に関する１つ又は複数の設定データＳＤｍを表す画像が表示される。
【００２８】
ディスプレイフィルターボタンＢ１は、設定対象の操作子を選択するボタンである。ユーザがディスプレイフィルターボタンＢ１にタッチすると、図７に示すように、操作子の名称のリストが表示される。ユーザは、タッチパネルＴＰ、カーソルキーＣＫなどを操作して、設定対象の操作子を選択する。すると、前記選択された操作子が設定対象として決定され、ディスプレイフィルターボタンＢ１に、前記選択された操作子の名称が表示される。例えば、図７の例では、エクスプレッションペダルが選択されている。したがって、この場合、エクスプレッションペダルが設定対象として決定され、図８に示すように、ディスプレイフィルターボタンＢ１に「エクスプレッションペダル」と表示される。
【００２９】
オートセレクトボタンＢ２は、オン状態又はオフ状態に設定されるトグルスイッチである。つまり、ユーザがオートセレクトボタンＢ２にタッチするごとに、そのオン状態及びオフ状態が交互に切り替わる。オートセレクトボタンＢ２がオン状態であるとき、ユーザが、所望の操作子を操作すると、前記操作した操作子が設定対象として決定され、ディスプレイフィルターボタンＢ１に前記操作された操作子の名称が表示される。オートセレクトボタンＢ２がオン状態に設定されている際の動作モードが、本発明の所定の動作モードに相当する。
【００３０】
すなわち、ＣＰＵ１２ａは、図９Ａ及び図９Ｂに示すステップＳ１０にて、設定対象決定処理を開始すると、ステップＳ１１にて、オートセレクトボタンＢ２がタッチされたか否かを判定する。オートセレクトボタンＢ２がタッチされていない場合には、ＣＰＵ１２ａは、「Ｎｏ」と判定して、後述のステップＳ１７に処理を進める。一方、オートセレクトボタンＢ２がタッチされた場合には、ＣＰＵ１２ａは、「Ｙｅｓ」と判定して、ステップＳ１２にて、オートセレクトボタンＢ２がオン状態か否かを判定する。オートセレクトボタンＢ２がオン状態であるとき、ＣＰＵ１２ａは、「Ｙｅｓ」と判定して、ステップＳ１３にて、オートセレクトボタンＢ２をオフ状態に設定し、ステップＳ１７に処理を進める。一方、オートセレクトボタンＢ２がオフ状態であるとき、ＣＰＵ１２ａは、「Ｎｏ」と判定して、ステップＳ１４にて、オートセレクトボタンＢ２をオン状態に設定する。つぎに、ＣＰＵ１２ａは、ステップＳ１５にて、操作子の名称のリストを表示中か否か判定する。操作子の名称のリストを表示していない場合、ＣＰＵ１２ａは、「Ｎｏ」と判定して、ステップＳ１７に処理を進める。一方、操作子の名称のリストを表示している場合、ＣＰＵ１２ａは、「Ｙｅｓ」と判定して、ステップＳ１６にて、操作子の名称のリストを非表示に設定する。
【００３１】
つぎに、ＣＰＵ１２ａは、ステップＳ１７にて、操作子が操作されたか否かを判定する。操作子が操作されていない場合、ＣＰＵ！２ａは、「Ｎｏ」と判定して、後述のステップＳ２２に処理を進める。一方、操作子が操作された場合、ＣＰＵ１２ａは、「Ｙｅｓ」と判定して、ステップＳ１８にて、オートセレクトボタンＢ２がオン状態か否かを判定する。オートセレクトボタンＢ２がオフ状態であるとき、ＣＰＵ１２ａは、「Ｎｏ」と判定して、ステップＳ２２に処理を進める。一方、オートセレクトボタンＢ２がオン状態であるとき、ＣＰＵ１２ａは、「Ｙｅｓ」と判定して、ステップＳ１９にて、操作された操作子を設定対象の操作子として決定する。つぎに、ＣＰＵ１２ａは、ステップＳ２０にて、操作子の名称のリストを表示中か否か判定する。操作子の名称のリストを表示していない場合、ＣＰＵ１２ａは、「Ｎｏ」と判定して、ステップＳ２２に処理を進める。一方、操作子の名称のリストを表示している場合、ＣＰＵ１２ａは、「Ｙｅｓ」と判定して、ステップＳ２１にて、操作子の名称のリストを非表示に設定する。
【００３２】
つぎに、ＣＰＵ１２ａは、ステップＳ２２にて、ディスプレイフィルターボタンＢ１がタッチされたか否かを判定する。ディスプレイフィルターボタンＢ１がタッチされていない場合、ＣＰＵ１２ａは、「Ｎｏ」と判定して、ステップＳ２４に処理を進める。一方、ディスプレイフィルターボタンＢ１がタッチされた場合、ＣＰＵ１２ａは、「Ｙｅｓ」と判定して、ステップＳ２３にて、操作子の名称のリストを表示する。
【００３３】
つぎに、ＣＰＵ１２ａは、ステップＳ２４にて、操作子の名称のリスト中の１つの操作子の名称がタッチされたか否かを判定する。操作子の名称のリストがタッチされていない場合、ＣＰＵ１２ａは、「Ｎｏ」と判定して、ステップＳ２７に処理を進める。一方、操作子の名称のリスト中の１つの操作子の名称がタッチされた場合、ＣＰＵ１２ａは、「Ｙｅｓ」と判定して、ステップＳ２５にて、前記タッチされることにより選択された操作子を設定対象の操作子として決定する。つぎに、ＣＰＵ１２ａは、ステップＳ２６にて、操作子の名称のリストを非表示に設定する。そして、ＣＰＵ１２ａは、ステップＳ２７にて設定操作子決定処理を終了し、図示しないメインルーチンに戻る。この設定対象決定処理は、設定対象の操作子が決定されていない状態において逐次実行される。なお、設定対象の操作子が決定されていない状態において、何らかのイベント（例えば、タッチパネルＴＰの操作）が発生したとき、設定対象決定処理が実行されてもよい。
【００３４】
上記のようにして設定対象の操作子が決定されると、設定対象の操作子に関する現在の設定内容が表示エリアＡ１に表示される。すなわち、設定データＳＤｍのうち、設定対象の操作子に一致するソースデータＳＯｍを有する設定データＳＤｍが選択され、前記選択された設定データＳＤｍを表す画像が表示エリアＡ１に表示される。設定対象の操作子に複数のパラメータが割り当てられている場合（つまり、ソースデータＳＯｍが共通する複数の設定データＳＤｍが存在する場合）、表示エリアＡ１に複数の設定データＳＤｍを表す画像が表示される。例えば、図４に示す例においては、設定データＳＤｍ＝１のソースデータＳＯｍ＝１及び設定データＳＤｍ＝３のソースデータＳＯｍ＝３はいずれも「第１アサイナブルノブ」である。そのため、図６に示すように、設定対象の操作子が「第１アサイナブルノブ」である場合、設定データＳＤｍ＝１及び設定データＳＤｍ＝３を表す画像が表示エリアＡ１に表示される。同図に示すように、表示エリアＡ１には、複数の設定データＳＤｍを表す画像がタブ形式で表示される。すなわち、各設定データＳＤｍに対応するタブＴＢｍが設けられる。そして、選択された１つのタブＴＢｍの全体が表示され、その他のタブＴＢｍは、前記選択されたタブＴＢｍの背面側に位置して、その上端に位置する見出し部のみが表示されている。タブＴＢｍの見出し部にタッチすると、そのタブＴＢｍを選択することができる。図６は、タブＴＢｍ＝１が選択された状態を示している。
【００３５】
各タブＴＢｍの見出し部には、デスティネーションボタンＢ３が表示されている。デスティネーションボタンＢ３には、設定データＳＤｍのデスティネーションデータＤＮｍ（すなわち、パラメータの名称）が表示されている。また、各タブＴＢｍの本体部には、ソースボタンＢ４及び変化カーブボタンＢ５が表示されている。ソースボタンＢ４には、設定データＳＤｍのソースデータＳＯｍ（すなわち、操作子の名称）が表示されている。このソースボタンＢ４の表示は、設定対象として決定した操作子の名称に一致している。また、変化カーブボタンＢ５には、設定データＳＤｍの変化カーブデータＣＤｍ（変化カーブデータの名称）が表示されている。そして、変化カーブボタンＢ５の右側には、変化カーブデータＣＤｍに対応する変化カーブのグラフが表示されている。
【００３６】
操作子とパラメータとの対応関係を変更する際には、次のように操作する。現在選択されているタブＴＢｍに対応するパラメータ（つまり、デスティネーションボタンＢ３に表示されているパラメータ）を操作する操作子（つまり、ソースボタンＢ４に表示されている操作子）を他の操作子に変更する場合には、ユーザは、タブＴＢｍにおけるソースボタンＢ４にタッチする。すると、操作子の名称のリストが表示される。ユーザがタッチパネルＴＰ、カーソルキーＣＫなどを操作して他の操作子を選択すると、設定データＳＤｍのソースデータＳＯｍが前記他の操作子の識別データ（操作子の名称）に書き換えられる。そして、設定対象が前記他の操作子に切り替えらえる。すなわち、ディスプレイフィルターボタンＢ１の表示が前記他の操作子の名称に切り替えられる。また、設定データＳＤｍのうち、設定対象の操作子に一致するソースデータＳＯｍを有する設定データＳＤｍが選択され、前記選択された設定データＳＤｍを表す画像が表示エリアＡ１に表示される。
【００３７】
また、現在選択されているタブＴＢｍに対応するパラメータ（つまり、デスティネーションボタンＢ３に表示されているパラメータ）を他のパラメータに変更する場合には、ユーザは、タブＴＢｍにおけるデスティネーションボタンＢ３にタッチする。すると、パラメータの名称のリストが表示される。ユーザがタッチパネルＴＰ、カーソルキーＣＫなどを操作して他のパラメータを選択すると、設定データＳＤｍのデスティネーションデータＤＮｍが前記他のパラメータの識別データ（パラメータの名称）に書き換えられる。そして、デスティネーションボタンＢ３の表示が前記他のパラメータの名称に変更される。
【００３８】
また、現在選択されているタブＴＢｍの変化カーブを変更する場合には、ユーザは、タブＴＢｍにおける変化カーブボタンＢ５にタッチする。すると、変化カーブの名称のリストが表示される。ユーザがタッチパネルＴＰ、カーソルキーＣＫなどを操作して他の変化カーブを選択すると、設定データＳＤｍの変化カーブデータＣＤｍが前記他の変化カーブの識別データ（変化カーブの名称）に書き換えられる。そして、変化カーブボタンＢ５の表示が前記他の変化カーブの名称に変更される。
【００３９】
上記のように構成した電子楽器１０によれば、ユーザは、オートセレクトボタンＢ２をオン状態に設定した状態で操作子を操作すれば、その操作子が設定対象として決定される。すなわち、ディスプレイフィルターボタンＢ１にタッチして操作子の名称のリストを表示させ、タッチパネルＴＰ、カーソルキーＣＫなどを用いて、設定対象の操作子を選択する必要がない。よって、ユーザは、操作子の機能を簡単に設定できる。また、設定対象を誤って選択する虞もない。また、ユーザが、ある操作子に割り当てられているパラメータの種類を失念したときにも、オートセレクトボタンＢ２をオン状態に設定した状態で操作子を操作することにより、その操作子に割り当てられているパラメータの種類を簡単に確認できる。
【００４０】
また、設定データＳＤｍのうち、設定対象の操作子に一致するソースデータＳＯｍを有する設定データＳＤｍが選択され、前記選択された設定データＳＤｍを表す画像が表示エリアＡ１に表示される。このように、表示エリアＡ１に必要な情報のみが表示されるので、表示エリアＡ１の視認性が良い。
【００４１】
さらに、本発明の実施にあたっては、上記実施形態に限定されるものではなく、本発明の目的を逸脱しない限りにおいて種々の変更が可能である。
【００４２】
上記実施形態においては、本発明を電子楽器（音信号生成装置）に適用した例を説明したが、本発明を、電子楽器以外の電子音響装置に適用してもよい。また、本発明を、映像（静止画又は動画）を表す信号を生成する信号生成部（映像の一部の領域、又は複数の層から構成された映像の１つの層を生成する部分）を有する映像信号生成装置にも適用可能である。
【００４３】
また、例えば、ディスプレイフィルターボタンＢ１にタッチした状態（又は操作子の名称のリストが表示された状態）で操作子を操作すると、前記操作された操作子が設定対象として決定されてもよい。この場合、ディスプレイフィルターボタンＢ１にタッチしている状態の動作モードが、本発明の所定の動作モードに相当する。この場合、オートセレクトボタンＢ２を省略してもよい。
【００４４】
また、現在選択されているタブＴＢｍに対応するパラメータを操作する操作子を他の操作子に変更する場合に、ソースボタンＢ４にタッチした状態で操作子を操作すると、タブＴＢｍに対応するパラメータが前記操作された操作子に割り当てられてもよい。この場合、ソースボタンＢ４にタッチしている状態の動作モードが、本発明の所定の動作モードに相当する。
【００４５】
また、上記実施形態では、設定データＳＤｍのうち、設定対象の操作子に一致するソースデータＳＯｍを有する設定データＳＤｍが選択され、前記選択された設定データＳＤｍを表す画像が表示エリアＡ１にタブ形式で表示される。これに代えて、設定対象の操作子に割り当てられているパラメータのリストが表示され、そのリストから選択したパラメータに関する情報のみが表示されるように構成してもよい。
【００４６】
また、操作子の機能を設定する設定モードではなく、例えば、演奏モードにおいて、オートセレクトボタンＢ２を設けてもよい。この場合、オートセレクトボタンＢ２をオン状態に設定し、操作子を操作すると、その操作子に割り当てられているパラメータに関する情報が表示されるように構成するとよい。これによれば、操作子に割り当てられているパラメータを簡単に確認できる。
【００４７】
なお、設定対象決定処理において、オートセレクトボタンＢ２がオン状態であるとき、操作子の名称のリストを表示したままにしてもよい。つまり、ステップＳ１５及びステップＳ１６を省略してもよい。
【符号の説明】
【００４８】
１０・・・電子楽器、１１・・・入力操作子、１２・・・コンピュータ部、１３・・・表示器、１４・・・記憶装置、１５・・・外部インターフェース回路、１６・・・音源回路、１７・・・エフェクト回路、１８・・・サウンドシステム、１９・・・バス、Ａ１・・・表示エリア、ＡＳｍ・・・割り当てデータ、Ｂ１・・・ディスプレイフィルターボタン、Ｂ２・・・オートセレクトボタン、Ｂ３・・・デスティネーションボタン、Ｂ４・・・ソースボタン、Ｂ５・・・変化カーブボタン、ＣＤｍ・・・変化カーブデータ、ＣＫ・・・カーソルキー、ＤＮｍ・・・デスティネーションデータ、ＤＰ・・・ダンパーペダル、ＥＰ・・・エクスプレッションペダル、ＫＮ・・・アサイナブルノブ、ＫＹ・・・鍵盤装置、ＭＷ・・・モジュレーションホイール、ＰＴｎ・・・演奏パート、ＰＷ・・・ピッチベンドホイール、ＲＣ・・・リボンコントローラ、ＳＤｍ・・・設定データ、ＳＬ・・・レバー、ＳＯｍ・・・ソースデータ、ＳＳｎ・・・設定データセット、ＴＢｍ・・・タブ、ＴＰ・・・タッチパネル、ＷＭ・・・波形メモリ
【図１】
0006710974.tif 000002
【図２】
0006710974.tif 000003
【図３】
0006710974.tif 000004
【図４】
0006710974.tif 000005
【図５】
0006710974.tif 000006
【図６】
0006710974.tif 000007
【図７】
0006710974.tif 000008
【図８】
0006710974.tif 000009
【図９Ａ】
0006710974.tif 000010
【図９Ｂ】
0006710974.tif 000011